(57)【特許請求の範囲】
【請求項１】
通信ケーブルを接続可能なコネクタ部を含み、前記通信ケーブルは、一本で、映像と音声のデータ伝送、接続機器情報の交換、および機器制御データの通信が可能である電子機器間の通信システムであって、
上記電子機器は、
トランスミッタの機能およびレシーバの機能のうち少なくとも一方の機能を持つことが可能で、
上記通信ケーブルは、
トランスミッタにより所定の電圧に駆動される第１の信号線と、
レシーバにより所定の電圧に駆動される第２の信号線と、を含み、
上記電子機器は、
上記コネクタ部に接続可能な上記第１の信号線の電圧または上記第２の信号線の電圧を検出し、接続相手側電子機器がレシーバであるかトランスミッタであるかを判別する検出制御部を有する
通信システム。
【請求項２】
通信ケーブルを接続可能なコネクタ部を含み、前記通信ケーブルは、一本で、映像と音声のデータ伝送、接続機器情報の交換、および機器制御データの通信が可能であり、且つ、トランスミッタの機能およびレシーバの機能のうち少なくとも一方の機能を持つことが可能な電子機器であって、
上記通信ケーブルは、
トランスミッタにより所定の電圧に駆動される第１の信号線と、
レシーバにより所定の電圧に駆動される第２の信号線と、を含み、
上記電子機器は、
上記コネクタ部に接続可能な上記第１の信号線の電圧または上記第２の信号線の電圧を検出し、接続相手側電子機器がレシーバであるかトランスミッタであるかを判別する検出制御部を有する
電子機器。
【請求項３】
報知機能を有する報知部を有し、
上記検出制御部は、
自身の機器がトランスミッタで接続相手がレシーバでないと判別した場合、または自身の機器がレシーバで接続相手がトランスミッタでないと判別した場合には、上記報知部により誤接続である旨を報知する
請求項２記載の電子機器。
【請求項４】
上記検出制御部は、
上記判別処理で、レシーバ同士またはトランスミッタ同士が接続されたと判別した場合に接続を留保する機能を有する
請求項２記載の電子機器。
【請求項５】
上記検出制御部は、
検出し判別した情報に元に、自機器がレシーバ、トランスミッタのいずれとして動作するかを自動的に切り替える機能を有する
請求項２記載の電子機器。
【請求項６】
上記検出制御部は、
自機器がトランスミッタとして機能する場合、正しく通信を開始するため上記第１の信号線に間けつ的に電圧を印加することにより、自機器がトランスミッタとして判別されることにより通信を開始することができる機能を有する
請求項２記載の電子機器。
【請求項７】
上記検出制御部は、
上記第１の信号線に間けつ的に印加する電圧の間隔をランダムに変化させることにより、自機器がトランスミッタとして判別される可能性を高め通信を開始することができる機能を有する
請求項６記載の電子機器。
【請求項８】
上記検出制御部は、
自機器がレシーバとして機能する場合、正しく通信を開始するため上記第２の信号線に間けつ的に電圧を印加することにより、自機器がレシーバとして判別されることにより通信を開始することができる機能を有する
請求項２記載の電子機器。
【請求項９】
上記検出制御部は、
上記第２の信号線に間けつ的に印加する電圧の間隔をランダムに変化させることにより、自機器がレシーバとして判別される可能性を高め通信を開始することができる機能を有する
請求項８記載の電子機器。
【請求項１０】
上記検出制御部は、
自機器がレシーバまたはトランスミッタとして機能する場合、正しく通信を開始するため上記第２の信号線または上記第１の信号線に間けつ的に電圧を選択的に印加することにより、自機器がレシーバまたはトランスミッタとして判別されることにより通信を開始することができる機能を有する
請求項５記載の電子機器。
【請求項１１】
上記検出制御部は、
上記第２の信号線または上記第１の信号線に間けつ的に印加する電圧の間隔をランダムに変化させることにより、自機器がレシーバまたはトランスミッタとして判別される可能性を高め通信を開始することができる機能を有する
請求項１０記載の電子機器。
【請求項１２】
上記検出制御部は、
上記第１の信号線および上記第２の信号線の少なくとも一方の電圧を落とすことによりケーブルを抜いた状態と同じ状態を発生し、その後あらためて再接続することにより、接続相手側機器との接続を再確立するような機能を有する
請求項２記載の電子機器。
【請求項１３】
上記検出制御部は、
設定によりレシーバ、トランスミッタのどちらで動作するかをあらかじめ決めておくことにより、上記自動切り換えを一時的に動作しないようにする動作モードを有する
請求項５記載の電子機器。
【請求項１４】
上記検出制御部は、
一度自動切り換えした場合にも上記通信ケーブルの抜挿、または電源オフを検出し、再度検出前の状態に戻る機能を有する
請求項５記載の電子機器。
【請求項１５】
上記検出制御部は、
自機器がレシーバとして機能する場合、正しく通信を開始するため上記第２の信号線に間けつ的に電圧を印加することにより、自機器がレシーバとして判別されることにより通信を開始することができる機能を有し、接続後にＥＤＩＤ(Extended Display Identification Data)を使用して機器情報を交換し、検出し判別した情報に元に、自機器がレシーバ、トランスミッタのいずれとして動作するかを自動的に切り替える機能を有する機器同士であることがわかった場合に、いずれかがトランスミッタであるかをあらためて選択させる機能を有する
請求項５記載の電子機器。
【請求項１６】
通信ケーブルを接続可能なコネクタ部を含み、前記通信ケーブルは、一本で、映像と音声のデータ伝送、接続機器情報の交換、および機器制御データの通信が可能である電子機器間の通信方法であって、
上記電子機器は、
トランスミッタの機能およびレシーバの機能のうち少なくとも一方の機能を持つことが可能で、
上記通信ケーブルは、
トランスミッタにより所定の電圧に駆動される第１の信号線と、
レシーバにより所定の電圧に駆動される第２の信号線と、を含み、
上記コネクタ部に接続可能な上記第１の信号線の電圧または上記第２の信号線の電圧を検出し、接続相手側電子機器がレシーバであるかトランスミッタであるかを判別し、通信可能であるかを判断する
通信方法。
【発明の詳細な説明】
【技術分野】
【０００１】
本発明は、非圧縮の画像の画素データを一方向に高速伝送することができる、たとえばＨＤＭＩ（High Definition Multimedia Interface）などの通信インタフェースを有する通信システム、電子機器、および通信方法に関するものである。
【背景技術】
【０００２】
ＨＤＭＩの仕様書「High-Definition Multimedia Interface Specification Version 1.3a」はＨＤＭＩ ＬＬＣ (http://www.hdmi.org/)から配布されている。
そして、ＨＤＭＩの規格上では、トランスミッタ（Transmitter）機器をソース（Source）機器、レシーバ（Receiver）機器をシンク（Sink）機器と表記する。
【０００３】
ＨＤＭＩソースとＨＤＭＩシンクは、複数の信号線を含むＨＤＭＩケーブルが接続されるＨＤＭＩコネクタを有している。このＨＤＭＩコネクタはデジタル信号で画像データと音声データを伝送するためのコネクタである。
【０００４】
ＨＤＭＩの仕様書において、ＨＤＭＩについては、画素データと音声データを、高速でＨＤＭＩソースからＨＤＭＩシンクに、一方向に伝送するＴＭＤＳ(Transition Minimized Differential Signaling)チャンネルや、ＨＤＭＩソースとＨＤＭＩシンクとの間で双方向の通信を行うためのＣＥＣライン(Consumer Electronics Control Line)等が、規定されている。
【０００５】
そして近年、たとえば、ＤＶＤ（Digital Versatile Disc）レコーダや、セットトップボックス、その他のＡＶ（Audio Visual）ソースから、テレビジョン受像機、プロジェクタ、その他のディスプレイに対して、デジタルテレビジョン信号、すなわち、非圧縮（ベースバンド）の画像の画素データと、その画像に付随する音声データとを、高速に伝送する通信インタフェースとして、ＨＤＭＩ(Ｒ)が普及しつつある。
【０００６】
最近のＤＶＤには出力用のＨＤＭＩポートが、テレビジョン受像機などには入力用のＨＤＭＩポートが付属している。
また、パーソナルコンピュータ（以下、ＰＣ）や家庭用ビデオカメラにもテレビジョン受像機に出力するためのＨＤＭＩポートが装備される事例が拡大しつつある。
【０００７】
ところで、ＨＤＭＩ(Ｒ)については、画素データと音声データを、ＨＤＭＩ(Ｒ)ソースからＨＤＭＩ(Ｒ)シンクに伝送するときに、データの伝送をオン、オフすることにより、不要なデータをミュートする装置が提案されている（たとえば、特許文献１を参照）。
【０００８】
さらに、ＨＤＭＩ(Ｒ)については、ＨＤＭＩ(Ｒ)ソースが、画素データと音声データを出力する端子を、切換スイッチによって切り換えることにより、ＨＤＭＩ(Ｒ)ソースとＨＤＭＩ(Ｒ)シンクとを接続するケーブルを差し替えることなく、複数のＨＤＭＩ(Ｒ)シンクのうちの、希望するＨＤＭＩ(Ｒ)シンクに、画素データと音声データを出力することができる装置が提案されている（たとえば、特許文献２を参照）。
【０００９】
【特許文献１】特開２００５−５７７１４号公報
【特許文献２】特開２００６−１９９４８号公報
【発明の開示】
【発明が解決しようとする課題】
【００１０】
しかしながら、上記規格書で定義されているＨＤＭＩポートは出力、入力のどちらか専用であるため、ＰＣに装備さているＨＤＭＩポートにたとえば家庭用ビデオカメラのＨＤＭＩポートをつなぎＰＣに向けて動画を転送することはできない。
また、出力用、入力用のポート同士を接続した場合にコネクタの形状は同じであるので物理的な接続は可能であるが、ユーザは誤接続を認識することができない。
このことより、特許文献１や特許文献２に記載の装置を含め、現在のＨＤＭＩ端子には、以下のような問題点がある。
【００１１】
ユーザがレシーバ機器同士、トランスミッタ機器同士を誤接続した場合に機器の故障の可能性がある。
ユーザがレシーバ機器同士、トランスミッタ機器同士を誤接続した場合、正しく動作しないのみであるのに、ユーザに対して誤接続を通知できない。
【００１２】
また、小型機器ではコネクタの形状が同じであることを利用してコネクタの共用化の需要があると考えられるが、現状の技術ではユーザが接続前にアナログスイッチなどを介して、レシーバ、トランスミッタのどちらとして動作するかをあらかじめ指定する必要がある。事前に設定する方法は操作方法として煩雑であり、ユーザの利便性を低下させている。
【００１３】
ＨＤＭＩの仕様書においては、２つのレシーバ機器を互いに接続した場合、２つのトランスミッタ機器を互いに接続した場合に損傷されないことという記述があるのみで、損傷されないための具体的方法に付いては記述されていない。
【００１４】
また、ＵＤＩ ＳＩＧという組織が規定するＵＤＩ（Unified Display Interface）という規格が存在する。このＵＤＩにおいてはケーブルの外形を異なるものとすることにより、ケーブルの誤接続を防ぐようになっている。
しかしながら、外形を変更して誤接続を防ぐ方法ではユーザは接続時にケーブルの向きを意識する必要があり、別の面で利便性の低下を招く。
また外形を変更する方法で誤接続を防ぐ方法は１つのコネクタをトランスミッタ、レシーバとして併用する機能と同時に実現することは困難である。
なお、ＵＤＩの仕様書「Unified Display Interface (UDI) Specification」はＵＤＩ ＳＩＧ(http://www.udiwg.org/home)にて配布されている。
【００１５】
本発明は、一つのコネクタ部のみで、煩雑な手間を要することなく、接続機器の種別を検出することが可能で、利便性を向上することが可能な通信システム、電子機器、および通信方法を提供することにある。
【課題を解決するための手段】
【００１６】
本発明の第１の観点の通信システムは、通信ケーブルを接続可能なコネクタ部を含み、前記通信ケーブルは、一本で、映像と音声のデータ伝送、接続機器情報の交換、および機器制御データの通信が可能である電子機器間の通信システムであって、上記電子機器は、トランスミッタの機能およびレシーバの機能のうち少なくとも一方の機能を持つことが可能で、上記通信ケーブルは、トランスミッタにより所定の電圧に駆動される第１の信号線と、レシーバにより所定の電圧に駆動される第２の信号線と、を含み、上記電子機器は、上記コネクタ部に接続可能な上記第１の信号線の電圧または上記第２の信号線の電圧を検出し、接続相手側電子機器がレシーバであるかトランスミッタであるかを判別する検出制御部を有する。
【００１７】
本発明の第２の観点は、通信ケーブルを接続可能なコネクタ部を含み、前記通信ケーブルは、一本で、映像と音声のデータ伝送、接続機器情報の交換、および機器制御データの通信が可能であり、且つ、トランスミッタの機能およびレシーバの機能のうち少なくとも一方の機能を持つことが可能な電子機器であって、上記通信ケーブルは、トランスミッタにより所定の電圧に駆動される第１の信号線と、レシーバにより所定の電圧に駆動される第２の信号線と、を含み、上記電子機器は、上記コネクタ部に接続可能な上記第１の信号線の電圧または上記第２の信号線の電圧を検出し、接続相手側電子機器がレシーバであるかトランスミッタであるかを判別する検出制御部を有する。
【００１８】
好適には、報知機能を有する報知部を有し、上記検出制御部は、自身の機器がトランスミッタで接続相手がレシーバでないと判別した場合、または自身の機器がレシーバで接続相手がトランスミッタでないと判別した場合には、上記報知部により誤接続である旨を報知する。
【００１９】
好適には、上記検出制御部は、上記判別処理で、レシーバ同士またはトランスミッタ同士が接続されたと判別した場合に接続を留保する機能を有する。
【００２０】
好適には、上記検出制御部は、検出し判別した情報に元に、自機器がレシーバ、トランスミッタのいずれとして動作するかを自動的に切り替える機能を有する。
【００２１】
好適には、上記検出制御部は、自機器がトランスミッタとして機能する場合、正しく通信を開始するため上記第１の信号線に間けつ的に電圧を印加することにより、自機器がトランスミッタとして判別されることにより通信を開始することができる機能を有する。
【００２２】
好適には、上記検出制御部は、上記第１の信号線に間けつ的に印加する電圧の間隔をランダムに変化させることにより、自機器がトランスミッタとして判別される可能性を高め通信を開始することができる機能を有する。
【００２３】
好適には、上記検出制御部は、自機器がレシーバとして機能する場合、正しく通信を開始するため上記第２の信号線に間けつ的に電圧を印加することにより、自機器がレシーバとして判別されることにより通信を開始することができる機能を有する。
【００２４】
好適には、上記検出制御部は、上記第２の信号線に間けつ的に印加する電圧の間隔をランダムに変化させることにより、自機器がレシーバとして判別される可能性を高め通信を開始することができる機能を有する。
【００２５】
好適には、上記検出制御部は、自機器がレシーバまたはトランスミッタとして機能する場合、正しく通信を開始するため上記第２の信号線または上記第１の信号線に間けつ的に電圧を選択的に印加することにより、自機器がレシーバまたはトランスミッタとして判別されることにより通信を開始することができる機能を有する。
【００２６】
好適には、上記検出制御部は、上記第２の信号線または上記第１の信号線に間けつ的に印加する電圧の間隔をランダムに変化させることにより、自機器がレシーバまたはトランスミッタとして判別される可能性を高め通信を開始することができる機能を有する。
【００２７】
好適には、上記第１の信号線および上記第２の信号線の少なくとも一方の電圧を落とすことによりケーブルを抜いた状態と同じ状態を発生し、その後あらためて再接続することにより、接続相手側機器との接続を再確立するような機能を有する。
【００２８】
好適には、上記検出制御部は、設定によりレシーバ、トランスミッタのどちらで動作するかをあらかじめ決めておくことにより、上記自動切り換えを一時的に動作しないようにする動作モードを有する。
【００２９】
好適には、上記検出制御部は、一度自動切り換えした場合にも上記通信ケーブルの抜挿、または電源オフを検出し、再度検出前の状態に戻る機能を有する。
【００３０】
好適には、上記検出制御部は、自機器がレシーバとして機能する場合、正しく通信を開始するため上記第２の信号線に間けつ的に電圧を印加することにより、自機器がレシーバとして判別されることにより通信を開始することができる機能を有し、接続後にＥＤＩＤを使用して機器情報を交換し、検出し判別した情報に元に、自機器がレシーバ、トランスミッタのいずれとして動作するかを自動的に切り替える機能を有する機器同士であることがわかった場合に、いずれかがトランスミッタであるかをあらためて選択させる機能を有する。
【００３１】
本発明の第３の観点は、通信ケーブルを接続可能なコネクタ部を含み、前記通信ケーブルは、一本で、映像と音声のデータ伝送、接続機器情報の交換、および機器制御データの通信が可能である電子機器間の通信方法であって、上記電子機器は、トランスミッタの機能およびレシーバの機能のうち少なくとも一方の機能を持つことが可能で、上記通信ケーブルは、トランスミッタにより所定の電圧に駆動される第１の信号線と、レシーバにより所定の電圧に駆動される第２の信号線と、を含み、上記コネクタ部に接続可能な上記第１の信号線の電圧または上記第２の信号線の電圧を検出し、接続相手側電子機器がレシーバであるかトランスミッタであるかを判別し、通信可能であるかを判断する。
【００３２】
本発明によれば、検出制御部において、コネクタ部に接続可能な第１の信号線の電圧または第２の信号線の電圧が検出される。そして、検出制御部において、この検出結果により接続相手側電子機器がレシーバであるかトランスミッタであるかが判別される。
【発明の効果】
【００３３】
本発明によれば、一つのコネクタ部のみで、煩雑な手間を要することなく、接続機器の種別を検出することが可能で、利便性を向上することが可能となる利点がある。
【発明を実施するための最良の形態】
【００３４】
以下に本発明の実施形態を図面に関連付けて説明する。
【００３５】
図１は、本発明の一実施形態に係る通信システムの要部の構成例を示す図である。
【００３６】
本通信システム１００は、画素データと音声データを、高速でＨＤＭＩソースからＨＤＭＩシンクに、一方向に伝送するＴＭＤＳ(Transition Minimized Differential Signaling)チャンネルを含んで構成される。
また、通信システム１００は、１本の通信ケーブルで映像と音声のデータ伝送と接続機器情報の交換および認証、機器制御データの通信、並びにＬＡＮ通信を行うシステムとして構成可能である。
【００３７】
本通信システム１００は、ＨＤＭＩの規格上でソース（Source）機器として表記されているトランスミッタ（Transmitter）１１０と、シンク（Sink）機器として表記されているレシーバ（Receiver）１２０と、トランスミッタ１１０とレシーバ１２０間の通信ケーブルであるＨＤＭＩケーブル１３０とを有する。
トランスミッタ１１０は、ソース機器としての機能を有する電子機器１０１の通信インタフェース部に配置され、レシーバ１２０はシンク機器として機能する電子機器１０２の通信インタフェース部に配置される。
【００３８】
トランスミッタ１１０およびレシーバ１２０は、ＨＤＭＩケーブル１３０が接続される接続部としてのＨＤＭＩコネクタ部１１１，１２１を有している。
【００３９】
トランスミッタ１１０は、たとえば、非圧縮の画像の画素データを対応する差動信号に変換し、複数のチャンネルである３つのＴＭＤＳチャンネル＃０，＃１，＃２で、ＨＤＭＩケーブル１３０を介して接続されているレシーバ１２０（ＨＤＭＩシンク）に、一方向にシリアル伝送する信号伝送部１１２を有する。
【００４０】
また、トランスミッタ１１０は、非圧縮の画像に付随する音声データ、さらには、必要な制御データその他の補助データ等を、対応する差動信号に変換し、３つのＴＭＤＳチャンネル＃０，＃１，＃２でＨＤＭＩケーブル１３０を介して接続されているレシーバ１２０に、一方向にシリアル伝送する。
【００４１】
さらに、トランスミッタ１１０は、３つのＴＭＤＳチャンネル＃０，＃１，＃２で送信する画素データに同期したピクセルクロックを、ＴＭＤＳクロックチャンネルで、ＨＤＭＩケーブル１３を介して接続されているレシーバ１２０に送信する。ここで、１つのＴＭＤＳチャンネル＃ｉ（ｉ=０，１，２）では、ピクセルクロックの１クロックの間に、１０ビットの画素データが送信される。
【００４２】
レシーバ１２０は、ＴＭＤＳチャンネル＃０，＃１，＃２で、ＨＤＭＩケーブル１３０を介して接続されているトランスミッタ１１０から一方向に送信されてくる、画素データに対応する差動信号と、音声データや制御データに対応する差動信号を、同じくトランスミッタ１１０からＴＭＤＳクロックチャンネルで送信されてくるピクセルクロックに同期して受信する受信部１２２を有する。
【００４３】
次に、図２および図３に関連付けて、ＨＤＭＩケーブル１３０と接続される、トランスミッタ１１０またはレシーバ１２０に設けられたＨＤＭＩコネクタ部１１１，１２１のピン配列（pin assignment）について説明する。
【００４４】
なお、図２および図３においては、左欄（PINの欄）に、コネクタのピンを特定するピン番号を記載してあり、右欄（Signal Assignmentの欄）に、同一行の左欄に記載されているピン番号で特定されるピンに割り当てられている信号の名称を記載してある。
【００４５】
図２は、ＨＤＭＩのタイプＡ（Type-A）と呼ばれるコネクタのピン配列を示している。
【００４６】
ＴＭＤＳチャンネル＃ｉの差動信号ＴＭＤＳ Ｄａｔａ#i+とＴＭＤＳ Ｄａｔａ#i-が伝送される差動信号線である２本の信号線は、ＴＭＤＳ Ｄａｔａ#i+が割り当てられているピン（ピン番号が１，４，７のピン）と、ＴＭＤＳ Ｄａｔａ#i-が割り当てられているピン（ピン番号が３，６，９のピン）に接続される。
【００４７】
また、制御用のデータであるＣＥＣ信号が伝送されるＣＥＣライン（図１に不図示）は、ピン番号が１３であるピンに接続され、ピン番号が１４のピンは空き（Reserved）ピンとなっている。双方向のＩＰ通信を、この空きピンを利用して行うことができれば、現行のＨＤＭＩとの互換性を保つことができる。そこで、ＣＥＣラインおよびピン番号が１４のピンに接続される信号線を用いて差動信号を伝送することができるように、ピン番号が１４のピンに接続される信号線と、ＣＥＣラインとは、差動ツイストペア結線されてシールドされ、ピン番号が１７番のピンに接続されるＣＥＣラインおよびＤＤＣのグランド線に接地されている。
【００４８】
さらに、Ｅ-ＥＤＩＤなどのＳＤＡ（Serial Data）信号が伝送される信号線は、ピン番号が１６であるピンに接続され、ＳＤＡ信号の送受信時の同期に用いられるクロック信号であるＳＣＬ（Serial Clock）信号が伝送される信号線は、ピン番号が１５であるピンに接続される。
【００４９】
また、ＳＤＡ信号が伝送される信号線、およびＳＣＬ信号が伝送される信号線は、ＣＥＣラインおよびピン番号が１４のピンに接続される信号線と同様に、差動信号を伝送することができるように差動ツイストペア結線されてシールドされ、ピン番号が１７番のピンに接続されるグランド線に接地されている。
【００５０】
さらに、新たな電子機器の接続を検出するための信号が伝送される信号線は、ピン番号が１９であるピンに接続される。
【００５１】
図３は、ＨＤＭＩのタイプＢ（Type-B）と呼ばれるコネクタのピン配列を示している。
【００５２】
このピン配列では、ＴＭＤＳ ＤＡＴＡ#ｉ（５＋，５−、４＋，４−、３＋，３−）およびそれらのシールド用ピンが、ピン番号が１３〜２１のピンに割り当てられ、図２の配列でピン番号が１２〜１９のピンに割り当てられているＣＥＣ〜Hot Plug Detcetのピン番号が２２〜２９のピンにシフトして割り当てられている。
【００５３】
このように、ＨＤＭＩコネクタには、タイプＡで１９本、タイプＢで２９本の信号線が接続可能なピンがある。
そして、図１に示すようにコネクタのピン番号１８，２８のピンに接続される信号線+5V Powerはトランスミッタ１１０側から駆動され、ピン番号１９，２９のピンに接続される信号線Hot Plug Detectとピン番号１〜１２、１〜２１のピンに接続される信号線TMDS Data Lineはレシーバ１２０側から電圧が供給される。
【００５４】
また、図１では簡略化して１セットしか示していないが、実際にはTMDS Data Lineは1本のＨＤＭＩケーブル１３０中に３セット存在する。
また、ＥＤＩＤ(Extended Display Identification Data)とはＶＥＳＡ(Video Electronics Standards Association)が策定した、ディスプレイに関する情報を示すものである。ＨＤＭＩにおいてはディスプレイはレシーバ側となるので、接続時にトランスミッタ側がレシーバ側のデータを読み出して使用する。
【００５５】
そして、本実施形態のトランスミッタ１１０およびレシーバ１２０は、第１の信号線としての+5V Power信号線１３１と、第２の信号線としてのHot Plug Detect信号線１３２かTMDS Data Line信号線１３３のいずれか１本の電圧を監視して、接続された接続機器がトランスミッタであるかレシーバであるかを判別する機能(機器判別機能)を有する。
【００５６】
また、本実施形態のトランスミッタ１１０およびレシーバ１２０は、自身がトランスミッタの場合で、接続相手がレシーバでない場合に表示パネルや表示ランプ、音声出力などを通じてユーザに対して接続相手がレシーバでないことを通知し、ユーザに接続の確認を促す機能(報知機能)を有する。
また、トランスミッタ１１０およびレシーバ１２０は、自身がレシーバの場合で、接続相手がトランスミッタでない場合に画面表示や表示パネル、表示ランプ、音声出力などを通じてユーザに対して接続相手がトランスミッタでないことを通知し、ユーザに接続の確認を促す機能（報知機能）を有する。
すなわち、本実施形態のトランスミッタ１１０およびレシーバ１２０は、接続相手機器がトランスミッタであるかレシーバであるかを判別する機能と、誤接続された場合にユーザに注意を喚起する報知機能を有し、また、レシーバ同士、トランスミッタ同士が接続された場合に機器の破壊を回避するため、接続を留保する機能（留保機能）を有する。
【００５７】
また、トランスミッタ１１０は、正しく通信を開始するため第１の信号線としての+5V Power信号線１３１に間けつ的に電圧をかけることにより、自デバイスがトランスミッタとして判別されることにより通信を開始することができる機能（+5V Power信号線電圧制御機能）を有する。
トランスミッタ１１０は、この場合、正しく通信を開始するため+5V Power信号線１３１に間けつ的にかける電圧の間隔をランダム的に変化させることにより、自デバイスがトランスミッタとして判別される可能性を高め通信を開始することができる機能（+5V Power信号線電圧制御機能）を有する。
【００５８】
また、レシーバ１２０は、正しく通信を開始するため第２の信号線としてのHot Plug Detect信号線１３２と、同じく第２の信号線としてのTMDS Data Line信号線１３３のどれか一部または全部に間けつ的に電圧をかけることにより、自デバイスがレシーバとして判別されることにより通信を開始することができる機能（Hot Plug Detect信号線１３２または、およびTMDS Data Line信号線電圧制御機能）を有する。
レシーバ１２０は、この場合、正しく通信を開始するためHot Plug Detect信号線１３２とTMDS Data Line信号線１３３のどれか一部または全部に間けつ的にかける電圧の間隔をランダム的に変化させることにより、自デバイスがレシーバとして判別される可能性を高め通信を開始することができる機能（Hot Plug Detect信号線１３２または、およびTMDS Data Line信号線電圧制御機能）を有する。
【００５９】
また、トランスミッタ１１０およびレシーバ１２０は、ＨＤＭＩコネクタ部１１１，１１２１の+5V Power信号線１３１、Hot Plug Detect信号線１３２、TMDS Data Line信号線１３３の一部またはすべての電圧を落とすことによりケーブルを抜いたのと同じ効果を発生し、その後あらためて再接続することにより、相手側機器との接続を再確立するような機能（接続再確立機能）を有する。
【００６０】
本実施形態のトランスミッタ１１０は、上述の各の機能を発現する検出制御部１１３および報知部１１４を有している。
同様に、本実施形態のレシーバ１２０は、上述の各の機能を発現する検出制御部１２３および報知部１２４を有している。
【００６１】
トランスミッタ１１０の検出制御部１１３は、抵抗素子Ｒ１１１を介して４．８〜５．３Ｖの範囲内に保持される＋５Ｖパワーを+5V Power信号線１３１に供給する機能を有する。
【００６２】
レシーバ１２０の検出制御部１２３は、抵抗素子Ｒ１２１を介してHot Plug Detect信号線１３２に２．４〜５．３Ｖの範囲内に保持される電圧を供給する機能を有する。
また、レシーバ１２０の検出制御部１２３は、差動のTMDS Data Line信号線１３３を抵抗素子Ｒ１２２，Ｒ１２３を介して電圧ＡＶｃｃ（３．３Ｖ）にプルアップする機能を有する。
【００６３】
図４は、本実施形態に係るトランスミッタにおける検出制御部の検出系の一構成例を示す図である。
【００６４】
この検出制御部１１３の検出系は、抵抗素子Ｒ１１１の一端と+5V Power信号線１３１間に接続されたスイッチ１１３１と、入力が+5V Power信号線１３１に接続された検出バッファ１１３２と、入力がHot Plug Detect信号線１３２に接続された検出バッファ１１３３と、入力が差動のTMDS Data Line信号線１３３の一方の信号線１３３−１に接続された検出バッファ１１３４と、入力が差動のTMDS Data Line信号線１３３の一方の信号線１３３−１に接続された検出バッファ１１３５と、を有する。
【００６５】
図５は、本実施形態に係るレシーバにおける検出制御部の検出系の一構成例を示す図である。
【００６６】
この検出制御部１２３の検出系は、抵抗素子Ｒ１２１の一端とHot Plug Detect信号線１３２間に接続されたスイッチ１２３１と、抵抗素子Ｒ１２２の一端とTMDS Data Line信号線１３３の一方の信号線１３３−１間に接続されたスイッチ１２３２と、抵抗素子Ｒ１２３の一端とTMDS Data Line信号線１３３の他方の信号線１３３−２間に接続されたスイッチ１２３３と、入力が+5V Power信号線１３１に接続された検出バッファ１１３４と、入力がHot Plug Detect信号線１３２に接続された検出バッファ１２３５と、入力が差動のTMDS Data Line信号線１３３の一方の信号線１３３−１に接続された検出バッファ１２３６と、入力が差動のTMDS Data Line信号線１３３の一方の信号線１３３−１に接続された検出バッファ１２３７と、を有する。
【００６７】
以下、本実施形態に係るトランスミッタ１１０とレシーバ１２０の機器判別機能、判別結果報知機能、検出制御部における１１３，１２３における各種制御機能について具体的に説明する。
【００６８】
まず、機器判別機能について説明する。
【００６９】
検出制御部１１３，１２３は、ＨＤＭＩコネクタの+5V Power信号線１３１と、Hot Plug Detect信号線１３２かTMDS Data Line信号線１３３のいずれか1本の電圧を監視する。
接続相手としてトランスミッタが接続されている場合、+5V Power信号線１３１には＋５Vの電圧が印加されている。
したがって、+5V Power信号線１３１において、一定以上の電圧が検出されれば接続相手がトランスミッタであると判断できる。
【００７０】
接続相手としてレシーバが接続されている場合、Hot Plug Detect信号線１３２は２．４Ｖ〜５．３Ｖの電圧が検出され、TMDS Data Line信号線１３３は＋３．３Ｖにプルアップされている。
したがって、Hot Plug Detect信号線１３２またはTMDS Data Line信号線１３３のいずれか１本において一定以上の電圧が検出されれば接続相手がレシーバであると判断できる。
【００７１】
+5V Power 信号線１３１と、Hot Plug Detect信号線１３２かTMDS Data Line信号線１３３の双方とも電圧が検出できなければコネクタ部１１１，１２１にケーブルが接続されていないかまたは接続されているが相手側が電源オフであるため、引き続き双方を監視することにより相手側電源オン時に検出することができる。
【００７２】
このような機器判別機能をトランスミッタ１１０側で実現する場合、図４に示すような構成を採用することができる。
検出制御部１１３は、検知時にはスイッチ１１３１を開放し、検出バッファ１１３２でハイ（Hi：＋５Ｖ）状態が検出されると接続相手はトランスミッタであると判断する。
検出制御部１１３は、検出バッファ１１３３，１１３４，１１３５のいずれかでハイ（Hi：２．４〜５Ｖ、３．３Ｖ）状態が検出されると接続相手はレシーバであると判断する。
【００７３】
同様に、機器判別機能をレシーバ１２０側で実現する場合、図５に示すような構成を採用することができる。
検出制御部１２３は、検知時には３つすべてのスイッチ１２３１〜１２３３を開放し、検出バッファ１１３４でハイ（Hi：＋５Ｖ）状態が検出されると接続相手はトランスミッタであると判断する。
検出制御部１２３は、検出バッファ１２３５，１２３６，１２３７のいずれかでハイ（Hi：２．４〜５Ｖ、３．３Ｖ）状態が検出されると接続相手はレシーバであると判断する。
【００７４】
次に、報知機能について説明する。
【００７５】
上述した機器検出機能により自動的に検出し判別した結果を用いてトランスミッタ１１０、レシーバ１２０でそれぞれ以下のような処理を行う。
自身がトランスミッタの場合、検出制御部１１３は、接続相手がレシーバでない場合に、報知部１１４を形成する表示パネルや表示ランプ、音声出力などを通じてユーザに対して接続相手がレシーバでないことを通知(報知)し、ユーザに接続の確認を促す。
自身がレシーバの場合、検出制御部１２３は、接続相手がトランスミッタでない場合に報知部１２４を形成する表示パネルや表示ランプ、音声出力などを通じてユーザに対して接続相手がTransmitterでないことを通知し、ユーザに接続の確認を促す。
【００７６】
次に、留保機能について説明する。
【００７７】
また、上述した機器検出機能により自動的に検出し判別した結果を用いてトランスミッタ１１０、レシーバ１２０でそれぞれ以下のような処理を行う。
自身がトランスミッタの場合、たとえばコネクタ部１１１に図６に示すような構成を採用して、Hot Plug Detect信号線１３２、TMDS Data Line信号線１３３との接続部に設けたスイッチＳＷ１１〜ＳＷ１ｎを、機器検出機能により相手側機器をレシーバとして検出されるまですべての信号線または故障の可能性の高い一部の信号線を開放状態にしておき、接続相手機器がレシーバとして検出されてはじめて、スイッチＳＷ１１〜ＳＷ１ｎを閉状態としてＨＤＭＩコネクタ部１１１で各信号線を接続することにより、機器の故障を回避する。
【００７８】
自身がレシーバの場合、たとえばコネクタ部１２１に図７に示すような構成を採用して、+5V Power 信号線１３１、Hot Plug Detect信号線１３２やTMDS Data Line信号線１３３との接続部に設けたスイッチＳＷ２１〜ＳＷ２ｎを、機器検出機能により相手側機器をトランスミッタとして検出されるまですべての信号線または故障の可能性の高い一部の信号線を開放状態にしておき、接続相手機器がトランスミッタとして検出されてはじめて、スイッチＳＷ２１〜ＳＷ２ｎを閉状態としてＨＤＭＩコネクタ部１２１で各信号線を接続することにより、機器の故障を回避する。
【００７９】
次に、+5V Power信号線電圧制御機能について説明する。
【００８０】
機器判別機能を有するトランスミッタ１１０において、以下のような処理を順に行う。
検出制御部１１３は、監視している信号線のいずれも電圧がかかっていない場合、相手先も機器判別機能を有する機器である場合を考慮し、間けつ的に+5V Power信号線１３１に＋５Ｖの電圧を間けつ的に印加して接続相手機器の認識動作を行う。
接続相手が機器判別機能を有し、レシーバの機能を持つ機器であれば、相手側がレシーバとして接続が確立される。
検出制御部１１３は、相手先の電源がいつ投入されるか、ケーブルがいつ接続されるかはわからないため、間けつ的な電圧印加処理は繰り返し行う必要がある。
【００８１】
図８（Ａ）〜（Ｃ）は、トランスミッタの間けつ電圧印加による認識動作のタイミングチャートである。
この場合、電圧を印加する期間Ｔ１は相手先に自身がトランスミッタとして認識され、相手先がレシーバとして動作を開始するのに必要な時間よりも大きく取る必要がある。
電圧印加の期間Ｔ１をトランスミッタ、レシーバのそれぞれの機器で設計的に保証可能な範囲に決定し規格化することにより、様々な機器間での接続を可能とすることができる。
電圧を印加する間隔（電圧を印加しない期間）Ｔ２は任意であり、毎回同じ間隔とするか異なる間隔とするかも任意である。
【００８２】
さらに、電圧を印加しない期間Ｔ２をランダム的に変化することによりお互いに認識動作を開始することにより、一度信号が衝突しても（ぶつかっても）次のタイミングが重ならないようにすることも可能である。
規格上、ＨＤＭＩ機器はレシーバ同士、トランスミッタ同士が接続されても破壊されないことが求められるので、このように電圧をかけても破壊されることはない。
【００８３】
次に、Hot Plug Detect信号線１３２または、およびTMDS Data Line信号線電圧制御機能について説明する。
【００８４】
機器判別機能を有するレシーバ１２０において、以下のような処理を順に行う。
検出制御部１２３は、監視している信号線のいずれも電圧がかかっていない場合、相手先も機器判別機能を有する機器である場合を考慮し、間けつ的にHot Plug Detect信号線１３２かTMDS Data Line信号線１３３の一部またはすべてに必要な電圧を間けつ的に印加して接続相手機器の認識動作を行う。
接続相手が機器判別機能を有し、トランスミッタの機能を持つ機器であれば、相手側がトランスミッタとして接続が確立される。
検出制御部１２３は、相手先の電源がいつ投入されるか、ケーブルがいつ接続されるかはわからないため、間けつ的な電圧印加処理は繰り返し行う必要がある。
【００８５】
図９（Ａ）〜（Ｃ）は、レシーバの間けつ電圧印加による認識動作のタイミングチャートである。
この場合、電圧を印加する期間Ｔ３は相手先に自身がレシーバとして認識され、相手先がトランスミッタとして動作を開始するのに必要な時間よりも大きく取る必要がある。
電圧印加の期間Ｔ３をトランスミッタ、レシーバのそれぞれの機器で設計的に保証可能な範囲に決定し規格化することにより、様々な機器間での接続を可能とすることができる。
電圧を印加する間隔（電圧を印加しない期間）Ｔ４は任意であり、毎回同じ間隔とするか異なる間隔とするかも任意である。
【００８６】
さらに、電圧を印加しない期間Ｔ４をランダム的に変化することによりお互いに認識動作を開始することにより、一度信号が衝突しても（ぶつかっても）次のタイミングが重ならないようにすることも可能である。
規格上、ＨＤＭＩ機器はレシーバ同士、トランスミッタ同士が接続されても破壊されないことが求められるので、このように電圧をかけても破壊されることはない。
【００８７】
次に、接続再確立機能について説明する。
本実施形態においては、ＨＤＭＩコネクタ部１１１，１２１において以下のような機能を実現している。
トランスミッタとして接続状態にある機器であれば、+5V Power信号線１３１の電圧を落とすことにより接続断の状態を作る。
レシーバとして接続状態にある機器であれば、Hot Plug Detect信号線１３２とTMDS Data Line信号線の電圧を落とすことにより接続断の状態を作る。
このように、トランスミッタ１１０または、およびレシーバ１２０において、ＨＤＭＩコネクタ部１１１，１２１の+5V Power信号線１３１、Hot Plug Detect信号線１３２、TMDS Data Line信号線１３３の一部またはすべての電圧を落とすことによりケーブルを抜いたのと同じ効果を発生し、その後あらためて再接続することにより、相手側機器との接続を再確立することが可能となる。
【００８８】
以上では一実施形態として、トランスミッタの機能を持つ電子機器と、レシーバの機能を持つ電子機器とを通信ケーブルで接続する場合について説明した。
以下では、他の実施形態として、トランスミッタとレシーバの双方の機能を持つ電子機器を通信ケーブルで説明する場合について説明する。
【００８９】
図１０は、本発明の他の実施形態に係るトランスミッタとレシーバの双方の機能を持つ電子機器の要部の構成例を示す図である。
【００９０】
この電子機器１５０は、ＨＤＭＩケーブル１３０が接続される接続部としてのＨＤＭＩコネクタ部１５１を有している。
【００９１】
電子機器１５０は、たとえば、非圧縮の画像の画素データを対応する差動信号に変換し、複数のチャンネルである３つのＴＭＤＳチャンネル＃０，＃１，＃２で、ＨＤＭＩケーブル１３０を介して接続されているレシーバ１２０（ＨＤＭＩシンク）に、一方向にシリアル伝送する信号伝送部１１２を有する。
【００９２】
また、電子機器１５０は、ＴＭＤＳチャンネル＃０，＃１，＃２で、ＨＤＭＩケーブル１３０を介して接続されているトランスミッタ１１０から一方向に送信されてくる、画素データに対応する差動信号と、音声データや制御データに対応する差動信号を、同じくトランスミッタ１１０からＴＭＤＳクロックチャンネルで送信されてくるピクセルクロックに同期して受信する受信部１５３を有する。
【００９３】
そして、電子機器１５０の検出制御部１５４の検出系は、図１０に示すように、抵抗素子Ｒ１５１の一端と+5V Power信号線１３１間に接続されたスイッチ１５４１と、抵抗素子Ｒ１５２の一端とHot Plug Detect信号線１３２間に接続されたスイッチ１５４２と、抵抗素子Ｒ１５３の一端とTMDS Data Line信号線１３３の一方の信号線１３３−１間に接続されたスイッチ１５４３と、抵抗素子Ｒ１５３の一端とTMDS Data Line信号線１３３の他方の信号線１３３−２間に接続されたスイッチ１５４４と、入力が+5V Power信号線１３１に接続された検出バッファ１５４５と、入力がHot Plug Detect信号線１３２に接続された検出バッファ１５４６と、入力が差動のTMDS Data Line信号線１３３の一方の信号線１３３−１に接続された検出バッファ１５４７と、入力が差動のTMDS Data Line信号線１３３の一方の信号線１３３−２に接続された検出バッファ１５４８と、を有する。
【００９４】
電子機器１５０は、基本的に、上述した機器判別機能、報知機能、留保機能、+5V Power信号線電圧制御機能、Hot Plug Detect信号線１３２または、およびTMDS Data Line信号線電圧制御機能、および接続再確立機能を有している。
以下では、トランスミッタとレシーバの双方の機能を持つ電子機器の特徴的な機能について説明する。
【００９５】
トランスミッタとレシーバの双方の機能を持つ電子機器１５０において、機器判別機能により、自動的に検出し判別した結果を用いて接続相手がトランスミッタであるかレシーバであるかによりそれぞれ以下のような処理を行う。
【００９６】
接続相手がレシーバとして検出された場合には、自身がトランスミッタとしてふるまうことにより接続を行う。
接続相手がトランスミッタとして検出された場合には、自身がレシーバとしてふるまうことにより接続を行う。
このように、電子機器１５０は、検出した情報を元に自デバイスがレシーバ、トランスミッタのどちらとして動作するかを自動的に切り替える機能を有する。
これにより、ＨＤＭＩコネクタの機能を切り替え、機器全体としてもレシーバとしての機能を利用し、たとえば家庭用ビデオカメラにおいて表示装置、録画録音装置として振る舞うか、トランスミッタとしての機能を利用し、たとえば家庭用ビデオカメラにおいて再生装置として振る舞うかを切り替えることが可能となる。
上記のような機能を実現すると、図１０に示すような回路構成を採用することが可能となる。
【００９７】
検出制御部１５４は、検知時にはスイッチ１５４１〜１５４４を開放し、トランスミッタとして動作する際にはスイッチ１５４１を短絡、スイッチ１５４２〜１５４４を開放する。
検出制御部１５４は、レシーバとして動作する際にはスイッチ１５４２〜１５４４を短絡、スイッチ１５４１を開放する。
検出制御部１５４は、スイッチ１５４２〜１５４４はトランスミッタとして機能するときのデータ伝送に使用し、レシーバとして機能するときには開放状態のままとする。
【００９８】
次に、電子機器１５０が有する電圧制御機能について説明する。
【００９９】
トランスミッタとレシーバの双方の機能を持つ電子機器１５０において、以下のような処理を順に行う。
監視している信号線のいずれも電圧がかかっていない場合、相手先も機器判別機能を有する機器である場合を考慮し、間けつ的にHot Plug Detect信号線１３２かTMDS Data Line信号線１３３の一部またはすべてに必要な電圧を間けつ的に印加する。
接続相手が機器判別機能を有し、トランスミッタの機能を持つ機器であれば、相手側がトランスミッタとして接続が確立される。
【０１００】
相手先も機器判別機能を有する機器である場合を考慮し、間けつ的に+5V Power信号線１３１に＋５Ｖの電圧を間けつ的に印加する。
接続相手が機器判別機能を有し、レシーバの機能を持つ機器であれば、相手側がレシーバとして接続が確立される。
検出制御部１５４は、相手先の電源がいつ投入されるか、ケーブルがいつ接続されるかはわからないため、間けつ的な電圧印加処理は繰り返し行う必要がある。
【０１０１】
図１１（Ａ）〜（Ｃ）は、トランスミッタとレシーバの双方の機能を持つ場合の間けつ電圧印加による認識動作のタイミングチャートである。
電圧を印加する期間Ｔ１１,Ｔ１２はそれぞれ相手先に自身がレシーバまたはトランスミッタとして認識され、相手先がトランスミッタまたはレシーバとして動作を開始するのに必要な時間よりも大きく取る必要がある。
電圧印加の期間Ｔ１，Ｔ２をトランスミッタ、レシーバのそれぞれの機器で設計的に保証可能な範囲に決定し規格化することにより、様々な機器間での接続を可能とすることができる。
電圧を印加する間隔（電圧を印加しない期間）Ｔ１３，Ｔ１４は任意であり、毎回同じ間隔とするか異なる間隔とするかも任意である。
【０１０２】
さらに、電圧を印加しない期間Ｔ１３，Ｒ１４をランダム的に変化することによりお互いに認識動作を開始することにより、一度信号が衝突しても（ぶつかっても）次のタイミングが重ならないようにすることも可能である。
規格上、ＨＤＭＩ機器はレシーバ同士、トランスミッタ同士が接続されても破壊されないことが求められるので、このように電圧をかけても破壊されることはない。
【０１０３】
トランスミッタとレシーバの双方の機能を持つ電子機器１５０は、さらに以下のような機能を有する。
電子機器１５０は、なんらかのユーザ・インタフェースにより、ユーザが該当機器がレシーバとして動作するか、トランスミッタとして動作するのか、接続相手により自動切換えを行う機能を備えている。
ユーザがレシーバとして動作するように指定した場合には、コネクタ部も標準のレシーバのコネクタと同様の動作を行う。
ユーザがトランスミッタとして動作するように指定した場合には、コネクタ部も標準のトランスミッタのコネクタ部と同様の動作を行う。
ユーザが接続相手により自動切換えを指定した場合には、上述したように、検出した情報を元に自デバイスがレシーバ、トランスミッタのどちらとして動作するかを自動的に切り替える。
【０１０４】
なお、接続確立中に設定が変更され、接続状態と異なる場合にはユーザに警告を表示し、電源の切入を促してもよい。
接続確立中に設定が変更され、接続状態と異なる場合にはユーザに警告を表示し、電源の切入を自動的に行っても良い。
接続確立中に設定が変更され、接続状態と異なる場合には、いったん接続を解消し、再度接続の確立を試みてもよい。
【０１０５】
トランスミッタとレシーバの双方の機能を持つ電子機器１５０は、さらに以下のような処理を行う。
検出制御部１５４は、接続が確立中に、機器判別機能による信号線の監視により、通信ケーブル１３０が抜かれたり、接続相手が電源オフとなったことを検知する。
検出制御部１５４は、通信ケーブルが抜かれたり、接続相手が電源オフと検知された場合には、レシーバ、トランスミッタの処理を中断し、機器判別機能における接続相手検出待ち状態に戻る。
検出制御部１５４は、再度接続された場合には、直前に接続されていた状態に無関係に接続相手の検出を行い、接続を確立する。
【０１０６】
トランスミッタとレシーバの双方の機能を持つ電子機器１５０は、さらに以下のような処理を行う。
トランスミッタとレシーバの双方の機能を持ち、Hot Plug Detect信号線１３２または、およびTMDS Data Line信号線電圧制御機能を有する電子機器同士が通信ケーブルで接続され、接続が確立する。
トランスミッタがレシーバからＥＤＩＤを取得し、ＥＤＩＤより、トランスミッタ,レシーバの両対応の電子機器のコネクタ同士が接続されているか判別する。
トランスミッタ,レシーバの両対応の電子機器のコネクタ同士が接続されている場合には、どちら側がトランスミッタかユーザが期待する通りになっているかどうかが不明である。
そのため、トランスミッタ側はユーザにトランスミッタ,レシーバの両対応の電子機器のコネクタ同士が通信ケーブル１３０で接続されたことを報知部１５５に表示し、ユーザに選択を促す。
ユーザがレシーバ機能を選択した場合には、現在の接続状態と異なるため、間けつ電圧をランダム的に変化させる方法で接続を切り、その設定に沿って再度接続される。
【０１０７】
以上説明した本実施形態によれば、以下の効果を得ることができる。
現在、テレビジョン受像機、ＤＶＤなど家庭用ＣＥ機器の一部にＨＤＭＩ端子が採用されている。ＨＤＭＩ端子は、図１２に示すように、テレビジョン受像機であるレシーバ２０１とＤＶＤであるトランスミッタ２０２を対向して接続する。
今後、端子の数が増えていくにしがたい、図１３に示すように、ＤＶＤであるトランスミッタ２０２とトランスミッタであるＤＶＤ２０３とを接続したような場合の誤接続による問題が懸念される。
しかしながら、誤接続した場合にユーザは機器が正常に動作しないということでしか知ることができない。正常に動作しない原因は設定の不備、機器の故障など多岐にわたるが、ケーブルの誤接続を検出してユーザに通知することによりユーザは誤接続により機器が正常に動作しないということを認識することができ、ユーザの利便性の向上、メーカのサポートコストの低下などが見込まれる。
同様に誤接続による破壊などが想定されるが、相手先を検出してから接続処理を開始することにより破壊の危険性を減じることができる。
家庭用ビデオカメラやパーソナルピュータなどの記録機器と再生機器が一体となっている機器において、図１４（Ａ），（Ｂ）に示すように、レシーバ機能、トランスミッタ機能の双方の機能を実現したい場合が存在する。
その場合、現在はＨＤＭＩコネクタを２つ付けるか、切り換えスイッチにより機能を切り替えることができるＨＤＭＩコネクタを付けることが想定される。
【０１０８】
本実施形態にように、レシーバ機能、トランスミッタ機能と自動で切り換えて使用するＨＤＭＩコネクタを機器に搭載することにより、コネクタ設置スペースの削減、製造コストの削減、コネクタが1つであることにより誤接続の減少、ユーザ利便性の向上を実現することができる。
本実施形態により接続を検知してから接続するようにすると、同様の機能を持った機器同士を接続した場合に信号が出ないため、接続を検知できない。
そのため間けつ的に電圧をかけることにより、同様の機能を持ったコネクタ同士を接続した場合にも接続を開始できるようにする。
これにより接続を検知してから接続する機能を持った機器の普及後に互いに機器を接続した場合にも接続を開始できる。
【０１０９】
また、図１５に示すように、トランスミッタ、レシーバとなり得る機器同士を接続した場合に完全に自動でユーザが望むように片側がトランスミッタとなり、反対側がレシーバとなることは不可能であるため、接続後にユーザに選択させることができる。
これにより、ユーザは接続前に設定をおこなう必要などが無くなり利便性が向上する、またどちらがトランスミッタとなるかをユーザが指定することによりユーザが意図した動作をおこなうことが少なくなり操作が直感的になることが期待される。
【０１１０】
なお、本発明の実施の形態は、上述した実施の形態に限定されるものではなく、本発明の要旨を逸脱しない範囲において種々の変更が可能である。
【図面の簡単な説明】
【０１１１】
【図１】本発明の一実施形態に係る通信システムの要部の構成例を示す図である。
【図２】ＨＤＭＩのタイプＡ（Type-A）と呼ばれるコネクタのピン配列を示す図である。
【図３】ＨＤＭＩのタイプＢ（Type-B）と呼ばれるコネクタのピン配列を示す図である。
【図４】本実施形態に係るトランスミッタにおける検出制御部の検出系の一構成例を示す図である。
【図５】本実施形態に係るレシーバにおける検出制御部の検出系の一構成例を示す図である。
【図６】破壊防止機能付きトランスミッタ側コネクタ部の構成例を示す図である。
【図７】破壊防止機能付きレシーバ側コネクタ部の構成例を示す図である。
【図８】トランスミッタの間けつ電圧印加による認識動作のタイミングチャートである。
【図９】レシーバの間けつ電圧印加による認識動作のタイミングチャートである。
【図１０】本発明の他の実施形態に係るトランスミッタとレシーバの双方の機能を持つ電子機器の要部の構成例を示す図である。
【図１１】トランスミッタとレシーバの双方の機能を持つ場合の間けつ電圧印加による認識動作のタイミングチャートである。
【図１２】電子機器同士の正常接続状態を示す図である。
【図１３】電子機器同士の誤接続状態を示す図である。
【図１４】同一機器でレシーバ機能とトランスミッタ機能を有する場合の接続例を示す図である。
【図１５】レシーバ、トランスミッタになりうる機器同士の接続例を示す図である。
【符号の説明】
【０１１２】
１００・・・通信システム、１０１，１０２・・・電子機器，１１０・・・トランスミッタ、１１１・・・ＨＤＭＩコネクタ部、１１２・・・信号伝送部、１１３・・・検出制御部、１１４・・・報知部、１２０・・・レシーバ、１２１・・・ＨＤＭＩコネクタ部、１２２・・・受信部、１２３・・・検出制御部、１２４・・・報知部、１３０・・・通信ケーブル、１３１・・・+5V Power 信号線（第１の信号線）、１３２・・・Hot Plug Detect信号線（第２の信号線）、１３３・・・TMDS Data Line信号線（第２の信号線）、１５０・・・トランスミッタとレシーバの双方の機能を持つ電子機器、１５１・・・ＨＤＭＩコネクタ部、１５２・・・信号伝送部、１５３・・・受信部、１５４・・・検出制御部、１５５・・・報知部。
【図１】
0005007657.tif 000002
【図２】
0005007657.tif 000003
【図３】
0005007657.tif 000004
【図４】
0005007657.tif 000005
【図５】
0005007657.tif 000006
【図６】
0005007657.tif 000007
【図７】
0005007657.tif 000008
【図８】
0005007657.tif 000009
【図９】
0005007657.tif 000010
【図１０】
0005007657.tif 000011
【図１１】
0005007657.tif 000012
【図１２】
0005007657.tif 000013
【図１３】
0005007657.tif 000014
【図１４】
0005007657.tif 000015
【図１５】
0005007657.tif 000016